(57)【要約】【課題】  本発明は、装置自体が大型化とならなず、多くの媒体や用途にも迅速に対応することができるリードライト装置を提供することを目的とする。【解決手段】  アンテナにより記憶媒体へデータを読み書きするリードライト装置と、記憶媒体の表面に記憶媒体の情報を目視できる状態で書き替え可能な印字装置とを備えたカード処理装置において、リードライト装置は、外部の記憶媒体に対しアンテナからデータの読み書きが許容される第１のデータ書き込み許容領域と、リードライト装置の内部に取り込んだ記記憶媒体に対しアンテナからデータの読み書きが許容される第２のデータ書き込み許容領域と、第２のデータ書き込み許容領域内に印字装置を備えたので、外部又は内部の記憶媒体に対し、アンテナ１つでデータの書き換えができ、しかも印字装置も第２データ送受信許容領域内に設けたので装置を大型化することなく、様々な記憶媒体又用途にも対応可能である。【選択図】 図４
2007193434.tif 000002
【特許請求の範囲】
【請求項１】
記憶媒体の表面に当該記憶媒体の情報を目視できる状態で印字する印字装置を備え、アンテナにより前記記憶媒体へデータを読み書きするリードライト装置において、
当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設け、
前記第２のデータ書き込み許容領域内に前記印字装置を備えたことを特徴とするリードライト装置。
【請求項２】
記憶媒体の表面に当該記憶媒体の情報を目視できる状態で印字する印字装置を備え、アンテナにより前記記憶媒体へデータを読み書きするリードライト装置において、
当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設けたことを特徴とするリードライト装置。
【請求項３】
前記第１のデータ書き込み許容領域と前記第２のデータ書き込み許容領域とが、前記アンテナを中心にして双方向に形成されていることを特徴とする請求項１乃至請求項２のいずれか一項に記載のリードライト装置。
【請求項４】
前記アンテナは、当該アンテナの指向性が１方向に対してのみ送受信する指向性を備えたものであって、カードを搬送する装置の下方に設けられ、前記第１のデータ書き込み許容領域内に、前記第２のデータ書き込み許容領域を包含した状態で設けたことを特徴とする請求項１乃至請求項２のいずれか一項に記載のリードライト装置。
【請求項５】
前記アンテナの上方に位置し、前記第１のデータ書き込み許容領域内に前記記憶媒体をかざす位置を示す読み取り表示部を備えたことを特徴とする請求項１乃至請求項４のいずれか一項に記載のリードライト装置。
【発明の詳細な説明】
【技術分野】
【０００１】
本発明は、非接触ＩＣカードを利用した記憶媒体により、定期券の発行やポイントサービスを付与又はこれらデータの更新の処理を行うためのリードライト装置に関するものである。
【背景技術】
【０００２】
非接触ＩＣカードは、鉄道やバスの定期券又は運賃の支払い処理や店舗でのポイントサービスや代金の支払い処理に利用されてきており、非接触であるため磁気カードに比べセキュリティ面での有利性や支払いでの迅速処理の利便性により急速に普及しつつある。
そして、これらの普及に伴い、媒体や用途について様々なものが考えだされている。例えば、媒体としては、カード媒体だけでなく、携帯電話にＩＣカード機能を付加したものも（以下、携帯電話という）ある。また、用途面としては、定期券だけでなく金銭の情報を入れ、他区間の運賃の支払いや、鉄道やバスの交通機関だけでなく店舗でのショッピングでの代金処理にも利用できる非接触ＩＣカードが出てきている。
【０００３】
そのため、これら多種多様な媒体や用途を処理するリードライト装置は、それぞれの用途に合わせた機能を持つ必要がある。例えば、特許文献１に見られるように、定期券に必要な情報を非接触ＩＣカードの外部から目視できるように、非接触ＩＣカードの表面に必要な情報を記載する印字装置を内部に備え、そのリードライト装置内部で非接触ＩＣカードへ情報を記憶させるリードライト装置がある（以下、印字用リードライト装置という）。
また、非接触ＩＣカードや携帯電話へ入金処理やデータの内容確認を行うときにかざすだけや載置するだけで処理が可能なリードライト装置（以下、非接触用リードライト装置という）がある。
【０００４】
【特許文献１】特許第３６９１９８１号公報
【発明の開示】
【発明が解決しようとする課題】
【０００５】
しかしながら、これら従来のリードライト装置では、定期券のように印字が必要な場合には印字用リードライト装置が必要となり、携帯電話では非接触でしか対応できない為、非接触用リードライト装置が必要となり、これら処理を行うのに各々の装置が各１台ずつ計２台必要としていた。そのため、装置の大型化、処理の煩雑化又は不経済であるという問題点があった。
そこで、本発明は、装置自体が大型化とならず、また多くの媒体や用途にも迅速に対応することができるリードライト装置を提供することを目的とする。
【課題を解決するための手段】
【０００６】
請求項１記載のリードライト装置は、記憶媒体の表面に当該記憶媒体の情報を目視できる状態で印字する印字装置を備え、アンテナにより前記記憶媒体へデータを読み書きするリードライト装置において、当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設け、前記第２のデータ書き込み許容領域内に前記印字装置を備えたことを特徴とする。
【０００７】
請求項２記載のリードライト装置は  記憶媒体の表面に当該記憶媒体の情報を目視できる状態で印字する印字装置を備え、アンテナにより前記記憶媒体へデータを読み書きするリードライト装置において、当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設けたことを特徴とする。
【０００８】
請求項３記載のリードライト装置は、前記第１のデータ書き込み許容領域と前記第２のデータ書き込み許容領域とが、前記アンテナを中心にして双方向に形成されていることを特徴とする。
【０００９】
請求項４記載のリードライト装置は、前記アンテナは、当該アンテナの指向性が１方向に対してのみ送受信する指向性を備えたものであって、カードを搬送する装置の下方に設けられ、前記第１のデータ書き込み許容領域内に、前記第２のデータ書き込み許容領域を包含した状態で設けたことを特徴とする。
【００１０】
請求項５記載のリードライト装置は  前記アンテナの上方に位置し、前記第１のデータ書き込み許容領域内に前記記憶媒体をかざす位置を示す読み取り表示部を備えたことを特徴とする。
【発明の効果】
【００１１】
請求項１記載のリードライト装置は、記憶媒体の表面に当該記憶媒体の情報を目視できる状態で印字する印字装置を備え、アンテナにより前記記憶媒体へデータを読み書きするリードライト装置において、  当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設け、前記第２のデータ書き込み許容領域内に前記印字装置を備えたので、外部又は内部の記憶媒体に対し、アンテナ１つでデータの書き換えができ、しかも印字装置も第２データ送受信許容領域内に設けることで、１つの装置で大型化することなく、様々な記憶媒体又用途にも対応可能である。
【００１２】
請求項２記載のリードライト装置は、記憶媒体の表面に当該記憶媒体の情報を目視できる状態で印字する印字装置を備え、アンテナにより前記記憶媒体へデータを読み書きするリードライト装置において、  当該リードライト装置は、外部の前記記憶媒体に対して前記アンテナからデータの読み書きが許容される第１のデータ書き込み許容領域と、前記リードライト装置の内部に取り込んだ前記記憶媒体に対して前記アンテナからデータの読み書きが許容される第２のデータ書き込み許容領域とを設けたので、外部又は内部の記憶媒体に対し、アンテナ１つでデータの書き換えができ、装置を大型化することなく、様々な記憶媒体又用途にも対応可能である。  
【００１３】
請求項３記載のリードライト装置は、前記第１のデータ書き込み許容領域と前記第２のデータ書き込み許容領域とが、前記アンテナを中心にして双方向に形成されているので、前記アンテナを中心に同じ電波の強さで装置の外部と内部とのデータの書き込み位置を形成することが可能となり、外部及び内部のデータの送受信や記憶媒体への印字装置を含め厚みを薄く形成することができ、装置のコンパクト化を行うことができる。
【００１４】
請求項４記載のリードライト装置は、前記アンテナは、当該アンテナの指向性が１方向に対してのみ送受信する指向性を備えたものであって、カードを搬送する装置の下方に設けられ、前記第１のデータ書き込み許容領域内に、前記第２のデータ書き込み許容領域を包含した状態で設けたので、前記アンテナを、前記印字装置の下方に設け、前記第１のデータ書き込み許容領域内には、前記第２のデータ書き込み許容領域と、印字装置とを包含した状態で設けたので、外部及び内部のデータの送受信や記憶媒体への印字装置を含め厚みを薄く形成することができ、装置のコンパクト化を行うことができる。
【００１５】
請求項５記載のリードライト装置は、前記アンテナの上方に位置し、前記第１のデータ書き込み許容領域内に前記記憶媒体をかざす位置を示す読み取り表示部を備えたので、操作者に対し記憶媒体をかざす位置が認識しやすく、安定したデータの書き込みを誘導することができる。
【発明を実施するための最良の形態】
【００１６】
以下に発明を実施するための最良の形態を実施例１乃至実施例５によって説明する。
【実施例１】
【００１７】
本実施例１の実施形態を図１乃至図２に基づいて、鉄道やバスの事業所内、営業所内等の店舗内で従業者が操作してリードライト装置１０を駆動し様々な処理をするリードライト装置１０を備えたシステム１の構成を説明する。図１は、リードライト装置１０を備えたシステム１の一例を示す図であり、図２は、実施例１におけるリードライト装置１０を側面から見た内部構造の一例を示す図である。
【００１８】
このリードライト装置１０は、非接触ＩＣカード機能を付加した携帯電話２やプリペイド方式の非接触式ＩＣカード式乗車券（以下、ＳＦカードという）３や非接触式ＩＣカードの定期券４などを記憶媒体とし、鉄道やバスの定期券４の発券、運賃としての有価価値の入金、有価価値の残高や定期券４の情報の確認、定期券４の更新ができる機能を備えたリードライト装置１０を備えたシステムである。この携帯電話２や定期券４には、定期の情報（更新日付や乗車区間）や運賃として利用できる有価価値のデータ等が記憶されている。
【００１９】
リードライト装置１０は、モニタパネル７を有した端末５と接続されている。その端末５（コンピュータ）は、モニタパネル７の画面上で表示される処理をオペレータが操作できる操作盤６が設けられ、様々な処理ができるようになっている。携帯電話２や定期券４のデータ更新やこれら携帯電話２、ＳＦカード３、定期券４へ有価価値データに返還した上での入金やこれら携帯電話２、ＳＦカード３、定期券４内に記憶されているデータ内容の確認などの処理が端末上で操作を行える。
そして、端末５には、ＣＰＵを搭載した回路や効果音を出すためのスピーカが内蔵されている。
【００２０】
また、リードライト装置１０は、上方に携帯電話２、非接触式ＩＣカード３や定期券４をかざし又は載置してデータの書き換えを行う非接触ＩＣ処理部１１と、ＳＦカード３や定期券４を挿入して定期の更新や入金処理をするカード挿入部１３が設けられている。そのカード挿入部１３の上方には、ＬＥＤの光源を内蔵しＳＦカード３や定期券４の処理状況を表示するカード処理表示１２が設けられている。
【００２１】
筐体１７の外周上面には、前述した非接触ＩＣ処理部１１が設けられ、上方に突出した平面状に設けられている。その一端の一部には、ＬＥＤの光源を内蔵し携帯電話２、ＳＦカード３や定期券４の処理状況を表示するＬＥＤ表示部１５が設けられている。また、非接触ＩＣ処理部１１の上面には、読み取り表示部１９が設けられており、携帯電話２やＳＦカード３に対してデータの入出力を許容できる範囲、すなわち後述するデータ送受信許容領域Ｐ１〜Ｐ２間の領域を模式的に示す図が記載されている。
【００２２】
更に、図２に基づいてリードライト装置１０の構造について詳述すると、直方体状の筐体１７が金属又はプラスチックにより構成されている。
その筐体１７の外周側面には、前述したカード挿入部１３が設けられ、そのカード挿入部１３の中央には、ＳＦカード３若しくは定期券４をリードライト装置１０の内部に誘導するために、上方を開口したコの字状に突出したカード誘導部１６が設けられており、以下定期券４を挿入した場合で説明する。  
【００２３】
筐体１７の内部には、カード挿入部１３から挿入された定期券４の有無を検出するカード挿入検出センサＳａが設けられている。また、定期券４の挿入方向を検出するカード方向検出センサＳｂが設けられている。更に、定期券４をリードライト装置１０の内部に取り込んだり、定期券４を外部に排出する樹脂製の無端状の搬送ベルトＴが設けられている。このカード搬送ベルトＴは、定期券４を搬送する方向に対して上方２つ、下方に２つのカード搬送ローラＤ１、Ｄ２に掛け渡されている。搬送ローラＤ２には、図示しないモータと連結され搬送ベルトＴを駆動している。これら搬送ローラＤ１、Ｄ２は、樹脂製のローラで形成されている。
【００２４】
そして、搬送ローラＤ１、Ｄ２間には、定期券４の表面に定期券の情報を目視できる状態で印字するための印字ヘッドＷや定期券４のデータ更新時に書かれている印字を消去する消去ヘッドＥが設けられている。これら印字書き替え装置１８（Ｗ、Ｅ）の上方には、定期券４を印字書き替え装置１８（Ｗ、Ｅ）に圧接するための圧接ローラＤ３が設けられている。この圧接ローラＤ３の近傍には、印字時に定期券４の印字位置を検出し印字の制御を行うための印字検出センサＳｃが設けられている。
【００２５】
これら搬送ローラＤ１の斜め上方には、データの送受信を行うためのアンテナ１４が設けられている。このアンテナ１４は、ＩＣチップに記憶されているデータへの書き込みや読み取りが可能であり、アンテナ１４を中心に上下方向に指向性がありデータの送受信可能エリアとしてデータ送受信許容領域Ｐが点線で示されている。そして、上方に第１データ送受信許容領域Ｐａが、下方に第２データ送受信許容領域Ｐｂが上下方向に対して対称に記載されている。従って、非接触ＩＣ処理部１１でのデータの送受信可能エリアは、Ｐ１〜Ｐ２間の上方の体積部分となり、リードライト装置１０の内部に挿入された定期券４のデータの送受信可能エリアは、Ｐ３〜Ｐ４間の近傍となる。
【実施例２】
【００２６】
本実施例２の実施形態を図３に基づいてカードリーダ装置１０について説明するが、実施例１と同じ構成のものは、同一符号で記載しており、本実施例では実施例１と異なる箇所を説明する。
図３は、実施例２におけるリードライト装置１０の側面から見た内部構造の一例を示す図である。
【００２７】
本実施例では、水平に平面状の非接触ＩＣ処理部１１が設けられており、カード搬送ローラＤ１の下方に、アンテナ１４が設けられている。そして、このアンテナ１４は、上方に指向性があるアンテナ１４を使用しており、データを送受信する方向を上方に向けてのみ設けられている。
【００２８】
このアンテナ１４のデータの送受信可能エリアとしてデータ送受信許容領域Ｐが点線で記載されている。そして、非接触ＩＣ処理部１１での第１データ送受信許容領域Ｐａと第２データ送受信許容領域Ｐｂとは同一である。従って、非接触ＩＣ処理部１１でのデータの送受信可能エリアは、Ｐ１〜Ｐ２間の上方の体積部分となり、リードライト装置１０の内部に挿入された定期券４のデータの送受信可能エリアは、Ｐ３〜Ｐ４間の近傍となる。
【実施例３】
【００２９】
本実施例３の実施形態を図４に基づいてリードライト装置１０について説明するが、実施例１と同じ構成のものは、同一符号で記載しており、本実施例では実施例１と異なる箇所を説明する。
図４は、実施例２におけるリードライト装置１０の側面から見た内部構造の一例を示す図である。
【００３０】
本実施例では、上記実施例より更にコンパクト化した状態で構成され、印字書き替え装置１８（Ｗ、Ｅ）上に、アンテナ１４や平面状の非接触ＩＣ処理部１１が設けられている。
このアンテナ１４の第２データ送受信許容領域Ｐｂ内に、印字書き替え装置１８や印字検出センサＳｃが設けられている。
【実施例４】
【００３１】
本実施例４の実施形態を図５に基づいてリードライト装置１０について説明するが、実施例１と同じ構成のものは、同一符号で記載しており、本実施例では実施例１と異なる箇所を説明する。
図５は、実施例２におけるリードライト装置１０の側面から見た内部構造の一例を示す図である。
【００３２】
本実施例では、上記実施例同様に、コンパクト化した状態で構成され、印字書き替え装置１８（Ｗ、Ｅ）上に、アンテナ１４や平面状の非接触ＩＣ処理部１１が設けられている。
このアンテナ１４の第２データ送受信許容領域Ｐｂ内に、印字書き替え装置１８や印字検出センサＳｃが設けられている。
このアンテナ１４のデータの送受信可能エリアとしてデータ送受信許容領域Ｐが点線で記載されている。そして、非接触ＩＣ処理部１１での第１データ送受信許容領域Ｐａと第２データ送受信許容領域Ｐｂとは同一である。従って、非接触ＩＣ処理部１１でのデータの送受信可能エリアは、Ｐ１〜Ｐ２間の上方の体積部分となり、リードライト装置１０の内部に挿入された定期券４のデータの送受信可能エリアは、Ｐ３〜Ｐ４間の近傍となる。
【実施例５】
【００３３】
上述した実施形態では、鉄道やバスの事業所内、営業所内での店舗内で従業者などが操作してリードライト装置１０を駆動して処理する実施形式を説明したが、本実施形態は、これら店舗内に設置して購入者が対面して処理を行うリードライト装置１０を備えたシステム１の一例を図６に基づいて説明する。
定期券発券処理装置２０の前面には、タッチパネル２４の画面が設けられ、指のタッチ操作にて様々な処理ができるようになっている。図６のタッチパネル２４には、タッチ操作により移行する定期券発券表示領域２７、入金チャージ表示領域２８、定期券更新表示領域２９、確認表示領域３０が設けられている。
【００３４】
タッチパネル２４の下方には、入金時や定期券４を購入するときに金銭を投入する紙幣挿入部２５が設けられ、その紙幣挿入部２５の中央には紙幣を挿入するための紙幣挿入口が設けられている。紙幣挿入部２５の横には、携帯電話２やＳＦカード３や定期券４のデータを処理するリードライト装置１０が設けられている。
そして、定期券発券処理装置２０内には、これら装置（５、１０）を駆動させるためのＣＰＵを搭載した回路や効果音を出すためのスピーカが内蔵されている。
以上のシステム１は、実施例１乃至実施例４のいずれのリードライト装置１０を適用して構成する事ができるので、リードライト装置１０の説明は省略する。
【００３５】
（カードリーダ処理）
本実施例における定期券発券処理装置２０の処理制御の一例を、図７乃至図１０に基づいて説明する。
購入者が、図６に示されるタッチパネル２４に触れることにより（Ｓ３のＹ）、図６に示すモードが表示される（Ｓ８）。一方、タッチパネル２４に触れることなく定期券４が挿入された場合には（Ｓ５のＹ）、定期券４に記憶されているデータを抽出するため、データ送受信許容領域Ｐ３〜Ｐ４の範囲内に定期券４が運ばれる（Ｓ７）。先程と同じくモードが表示される（Ｓ８）。
【００３６】
次に、購入者が、タッチパネル２４のいずれかのモード（定期券発券表示領域２７、入金チャージ表示領域２８、定期券更新表示領域２９、確認表示領域３０）にタッチした場合には（Ｓ９）、それぞれのモード（定期券更新処理（Ｓ２０）、入金処理（Ｓ３０）、定期券発券処理（Ｓ４０）、確認処理（Ｓ５０））に移行する（Ｓ９ａ〜Ｓ９ｃ）。
【００３７】
次に、図８に基づいて定期券更新処理（Ｓ２０）を説明すると、個別のデータが入力されるまで待機される（Ｓ２１のＹ）。アンテナ１４が、第１データ送受信許容領域Ｐａ若しくは第２データ送受信許容領域Ｐｂからデータを受信すると次に移行し、定期券４若しくは携帯電話２の固有のＩＤや定期の更新に重要なデータが抽出され（Ｓ２３）、個別データの内容がタッチパネル２４上に表示される（Ｓ２５）。
【００３８】
ここで、異常データが含まれていた場合には（Ｓ２６のＹ）、画面上にエラー表示（Ｓ２９）を行い処理を終了する。
一方、異常データが含まれていない場合には（Ｓ２６のＮ）、購入者が、タッチパネルを操作して、何ヶ月の更新が行われるかの入力、必要なお金の投入、乗車区間の変更の入力などが行われ（Ｓ２７）、次のデータの更新処理に移行する（Ｓ６０）。
【００３９】
図９に基づいてデータ更新処理（Ｓ６０）を説明すると、現在の処理している媒体が、挿入されている定期券４か否かによって処理が分かれている（Ｓ６１）。挿入された定期券４の場合には（Ｓ６１のＹ）、消去ヘッドＥにより定期券４表面の印字が消去され、印字ヘッドＷにより新しい情報が定期券４表面に書き込まれる（Ｓ６３）。そして、ＩＤを確認しながら、変更された更新データの書き換えが行われ（Ｓ６５）、正常な書き込みが行われるまで処理が繰り返し行われる（Ｓ６７のＮ）。正常な書き換えとは、ＩＤが初期（Ｓ２３）に読み込んだデータと一致したＩＤか否かや、変更したいデータか適正化か否かなどである。
【００４０】
そして、正常に書き込みが行われれば（Ｓ６７のＹ）、定期券４が排出され（Ｓ６９）、その動作に合わせ、「更新終了」がタッチパネル２４上に青色の背景画面で表示されるとともに、カード処理表示１２が点滅され、「ピピー、ピピー」という効果音が流れて、定期券４の排出を知らせるようになっている（Ｓ７１）。
【００４１】
一方、内部以外、すなわち携帯電話２である場合には（Ｓ６１のＮ）、変更された更新データの書き換えが行われ（Ｓ７３）、正常な書き込みが行われるまで処理が繰り返し行われる（Ｓ７５のＮ）。
そして、正常に書き込みが行われれば（Ｓ７５のＹ）、その動作に合わせ、「更新終了」がタッチパネル４上に緑色の背景画面で表示されるとともに、ＬＥＤ表示部１５が赤く点滅され、「ピッ、ピッ」という効果音が流れて、処理が終了したことを知らせるようになっている（Ｓ７７）。
【００４２】
次に、図１０に基づいて、定期券４の発券処理（Ｓ４０）を説明する。
新規に定期券４を購入する場合には（Ｓ４０）、タッチパネル２４から定期券４の発行に必要な情報を入力する（Ｓ４１）。そして、定期券発券処理装置２０内に予め内蔵されている新規な定期券４の表面に印字ヘッドＷにより新しい情報が書き込まれる（Ｓ４３）。
そして、正常な書き込みが行われるまで処理が繰り返し行われる（Ｓ４７のＮ）。正常に書き込みが行われれば（Ｓ４７のＹ）、定期券４が排出され（Ｓ４８）、その動作に合わせ、「定期券発行終了」がタッチパネル４上に表示されるとともに、カード処理表示１２が点灯され、「ピンポン、ピンポン」という効果音が流れて、処理が終了したことを知らせるようになっている（Ｓ７７）。
【００４３】
次に、入金処理（Ｓ３０）は、図示しないが運賃に相当する価値をデータとして付与するために、携帯電話２、ＳＦカード３、定期券４に１０００円単位で有価価値データを入金することができる処理である。終了時には、携帯電話２、ＳＦカード３におけるリードライト装置１０外部での処理では、「入金終了」がタッチパネル４上に表示されるとともに、ＬＥＤ表示部１５が青く点滅し、「チャリン」という効果音が流れて、処理が終了したことを知らせるようになっている。
【００４４】
また、ＳＦカード３や定期券４におけるリードライト装置１０内での処理では、「入金終了」がタッチパネル２４上に表示されるとともに、カード処理表示１２が点灯され、「シャリン」という効果音が流れて、ＳＦカード３や定期券４が抜き取られるまで音声が発せられ、終了を知らせるようになっている。
【００４５】
次に、確認処理（Ｓ５０）は、図示しないが携帯電話２、ＳＦカード３、定期券４の記憶されているデータ内容を確認することができる処理である。例えば、「使用履歴」、「ポイント累計」、「入金残高確認」、「定期券区間・有効期限」等が考えられる。
【００４６】
（本実施形態から把握される効果）  
以上における本実施形態から把握される効果を以下に詳述する。
（１）本実施形態のリードライト装置１０は、外部の記憶媒体（２、３、４）に対してデータの送受信可能な第１データ送受信許容領域Ｐａを設けると共に、内部の記憶媒体（３、４）に対してデータの送受信可能な第２データ送受信許容領域Ｐｂを設けたので、外部の記憶媒体（２、３）や内部の記憶媒体（３、４）に対し、アンテナ１４を１つでデータの書き換えができるので装置を大型化することなく、様々な記憶媒体（２、３、４）又用途（Ｓ２０、Ｓ３０、Ｓ４０、Ｓ５０）にも対応可能である。
【００４７】
（２）本実施形態のリードライト装置１０は、外部の記憶媒体（２、３、４）に対してデータの送受信可能な第１データ送受信許容領域Ｐａを設けると共に、内部の記憶媒体（３、４）に対してデータの送受信可能な第２データ送受信許容領域Ｐｂ内に印字ヘッドＷや消去ヘッドＥの印字の書き替えに必要な印字書き替え装置１８を設けたので、外部の記憶媒体（２、３、４）や内部の記憶媒体（３、４）に対し、アンテナ１４を１つでデータの書き換えができ、しかも印字する機能も第２データ送受信許容領域Ｐｂ内に設けたので装置を大型化することなく、様々な記憶媒体（２、３、４）又用途（Ｓ２０、Ｓ３０、Ｓ４０、Ｓ５０）にも対応可能である。
【００４８】
（３）本実施形態のリードライト装置１０は、第１のデータ書き込み許容領域Ｐａと第２のデータ書き込み許容領域Ｐｂとをアンテナ１４を中心にして双方向に形成することで、アンテナ１４中心に外部と内部のデータの書き込み位置を形成することが可能なため、外部及び内部の記憶媒体（２、３、４）へのデータの送受信機能や記憶媒体（４）へ印字する印字書き替え装置１８を含め、リードライト装置１０の厚みを薄く形成することができる。
【００４９】
（４）本実施形態のリードライト装置１０は、第１のデータ書き込み許容領域Ｐａ内に第２のデータ書き込み許容領域Ｐｂと印字装置機構（Ｄ３、Ｗ、Ｅ、Ｓｃ）を包含することで、外部及び内部の記憶媒体（２、３、４）へのデータの送受信機能や記憶媒体（４）へ印字する印字書き替え装置１８を含め、リードライト装置１０の厚みを薄く形成することでコンパクト化を行うことができる。
【００５０】
（５）非接触ＩＣ処理部１１には、読み取り表示部１９が設けられているため、操作者に対し記憶媒体（２、３、４）をかざす位置が認識しやすく、安定したデータの書き込みを誘導することができる。
【００５１】
（６）本実施形態のリードライト装置１０は、非接触ＩＣ処理部１１には、読み取り表示部１９が設けられているため、操作者に対し記憶媒体（２、３、４）をかざす位置が認識しやすく、安定したデータの書き込みを誘導することができる。
【００５２】
（７）本実施形態のリードライト装置１０は、非接触ＩＣ処理部１１に平行した状態でアンテナ１４が設けられ、詳述にはデータ送受信許容領域Ｐ１〜Ｐ２の体積を広くとれるようにアンテナ１４が平行に設けられているので、記憶媒体（２、３、４）を読み取りが不安定な外部であっても、安定したデータの送受信を行うことができる。  
【００５３】
（８）本実施形態のリードライト装置１０は、ＳＦカード３や定期券４をリードライト装置１０の内部に取り込んだ状態で各処理（Ｓ２０、Ｓ３０、Ｓ４０、Ｓ５０）をしたときの効果音と、外部で携帯電話２やＳＦカード３に対して各処理を行ったときの効果音とを異ならせることによって（Ｓ４９、Ｓ７１、Ｓ７７）、複数の記憶媒体（２、３、４）が進入したとしても、どの記憶媒体（２、３、４）又どの処理（Ｓ２０、Ｓ３０、Ｓ４０、Ｓ５０）が行われたのかを認識することができ、迅速な処理を促すことができる。
【００５４】
（９）本実施形態のリードライト装置１０は、タッチパネル２４、ＬＥＤ表示部１５とカード処理表示１２とを設け、表示効果を異ならせたので、複数の記憶媒体（２、３、４）が進入したとしても、どの記憶媒体（２、３、４）又どの処理（Ｓ２０、Ｓ３０、Ｓ４０、Ｓ５０）が行われたのかを認識することができ、迅速な処理を促すことができる。
【００５５】
（１０）本実施形態のリードライト装置１０は、記憶媒体（２、３、４）のデータの書き換え時に、更新するデータと共に記憶媒体（２、３、４）を識別するＩＤデータをも含んだデータを送信するので（Ｓ６５、Ｓ７３）、たとえデータ送受信許容領域Ｐ（Ｐａ、Ｐｂ）内に、誤って複数の記憶媒体（２、３、４）が進入したとしても、他のIＤの記憶媒体（２、３）に更新したデータを書き込むことがない。従って、特にアンテナ１４に指向性（例えば、フェーズドアレイアンテナのように）を持たせて制御するような、複雑な処理をする必要がないので迅速に書き込み処理が行われる。そして、特殊なアンテナを使用する必要もないので、安価に装置を作成することができる。
【００５６】
（１１）本実施形態のリードライト装置１０は、データの書き換えが正常ではないときには（Ｓ６７、Ｓ７５）、正常に書き換えが行われるまで、複数回に亘りデータを送信するリトライ機能を備えているので、記憶媒体（２、３、４）に対して確実にデータの受け渡しが可能である。
【００５７】
（１２）本実施形態のリードライト装置１０は、平面状の非接触ＩＣ処理部１１が手前左に向かい緩やかな下り傾斜した状態（操作者に向かい手前に傾斜した状態）で設けられているので、記憶媒体（２、３、４）をかざす位置が確認しやすく、かざしやすい角度となっている。また、アンテナ１４を設置するスペースを十分に確保しながら、リードライト装置１０全体を薄く形成することが可能である。また、角度が緩やかな為、載置した状態でオペレートする事ができるので、両手が使用でき迅速処理が行える。実施例３、４にも適用できるのは言うまでもない。
【００５８】
（１３）本実施形態のリードライト装置１０は、種々の記憶媒体（２、３、４）や処理（Ｓ２０、Ｓ３０、Ｓ４０、Ｓ５０）に合わせて、処理音又は表示状態を変化させているのでどのような媒体に対して処理をしているのか又はどのような処理をしているのかを確認しやすくなっている。従って、購入者に対して迅速に処理を促すことが可能である。
【００５９】
（１４）本実施形態のリードライト装置１０は、種々の記憶媒体（２、３、４）や処理（Ｓ２０、Ｓ３０、Ｓ４０、Ｓ５０）に合わせて、タッチパネル２４上に表示される背景色や文字を変化させているのでどのような媒体に対して処理をしているのか又はどのような処理をしているのかを確認しやすくなっている。従って、操作者に対して迅速に処理を促すことが可能である。
【００６０】
（１５）本実施形態のリードライト装置１０は、これら搬送ローラＤ１、Ｄ２を、樹脂製のローラで形成したので、第２のデータ書き込み許容領域Ｐｂ内でのデータの送受信に際して、金属等による外乱の影響を与えることなく、確実にデータの授受を行うことができる。
【００６１】
（他の実施形態への変更例）
以上説明した実施形態を他の実施形態へ変更した例を以下に示す。
【００６２】
・以上の本実施形態では、ＳＦカード３や定期券４が挿入されたか否かによって、外部か内部かを判別しているが、ＩＤデータの桁数や番号により携帯電話２か、ＳＦカード３または定期券４かの判別を行っても良い。また、記憶媒体の識別をＩＤの桁数や番号種別により識別しても良い（携帯電話はＩＤデータの最初に０９０が付与されている）。
【００６３】
・以上の本実施形態では、上方から外部の記憶媒体（２、３、４）をかざす方式について説明したが、側方から外部の記憶媒体（２、３、４）をかざし、上方から定期券４を挿入する方式であっても良い。すなわち、図２乃至図５の図面を９０度回転した形式のものであっても良い。
【００６４】
・以上の本実施形態では、印字書き替え装置１８は、印字ヘッドＷと消去ヘッドＥで構成されているが、少なくとも印字ヘッドＷだけであれば、データの更新が可能であり、欲しい情報を得ることができる。また、印字ヘッドＷと消去ヘッドＥを１つの装置に組み込んで構成したものであっても良い。
【００６５】
・以上の本実施形態では、非接触ＩＣ処理部１１の一部にＬＥＤ表示部１５が設けられているが、読み取り表示部全面に設けてもよく、この構成により、より明るくなり処理の動作が認識しやすくなる。
【００６６】
・以上の本実施形態では、Ｓ６７、Ｓ７５でデータが正常に書き込まれるまで、データの送信が繰り返し行われるが、複数回（５回送信）又は秒数（１５秒送信）の期間においてリトライ送信を行い、それでも異常の場合に、タッチパネル２４上にエラー表示を行うような処理であっても良い。以上の構成にすることで、外部の記憶媒体（２、３）が正常に書き込み位置に設定されていない異常に対応することができる。
【００６７】
・以上の本実施形態では、印字処理を行った後（Ｓ６３）、データの書き込み処理が行われているが（Ｓ６５）、印字処理と書き込み処理を同時に行っても良い。そのように制御することで一連の処理が、迅速に処理することができる。
【００６８】
・以上の本実施形態では、音と表示処理（Ｓ４９、Ｓ７１、Ｓ７７）を同時に行っているが、音だけ又は表示だけのどちらか一方の処理であっても良く、操作者が認識しやすければよい。また、これらを音と表示を組み合わせることで相乗的に認識しやすくなる。また、タッチパネル２４上の表示においても、記憶媒体（２、３、４）に合わせて色だけ変化させたり、文字だけ変化させたりする構成であっても良い。
【００６９】
・以上の本実施形態では、表示処理（Ｓ４９、Ｓ７１、Ｓ７７）を、タッチパネル２４上において、色で処理操作毎又は記憶媒体（２、３、４）毎に、色や文字（フォント）等を変え、操作者が認識しやすくしても良い。
【００７０】
・以上の本実施形態では、実施例１においてアンテナ１４を非接触ＩＣ処理部１１と平行に設けているが、印字書き替え装置１８（Ｗ、Ｅ）に対して平行に設けても良い。
【００７１】
・以上の本実施形態では、リードライト装置１０は、端末５又は定期券発券装置２０以外のホストコンピュータとデータの通信を行うように制御される構成であっても良い。
【００７２】
・以上の本実施形態では、リードライト装置１０は、実施例５におけるカードリーダ処理を、実施例１乃至実施例４においても適用する事ができるのはいうまでもない。
【００７３】
（本実施の形態から把握される他の技術的思想）
次に、前述した実施形態によって把握される技術的思想を以下に列挙する。
（１）効果音を発生するスピーカを設け、前記記憶媒体を前記リードライト装置の内部に取り込んだ状態で処理をしたときの効果音と、前記リードライト装置の外部にある前記記憶媒体を処理をしたときの効果音とを異ならせたことを特徴とする請求項１乃至請求項５のいずれか一項に記載のカード処理装置。
【００７４】
以上の構成により、複数の記憶媒体が進入したとしても、リードライト装置の内部の処理か外部の処理かのどちらの記憶媒体に処理が行われたのかを認識することができ、迅速な処理を促すことができる。
【００７５】
（２）前記読み取り表示部の近傍には、発光表示する外部処理表示部を設け、前記記憶媒体を前記リードライト装置の内部に取り込むためのカード挿入口の近傍には、発光表示する内部処理表示部を設け、前記記憶媒体を前記リードライト装置の内部に取り込んだ状態で処理をしたときの前記外部処理表示部の表示効果と、前記リードライト装置の外部にある前記記憶媒体を処理をしたときの前記外部処理表示部の表示効果とを異ならせたことを特徴とする請求項１乃至請求項５のいずれか一項に記載のカード処理装置。
【００７６】
以上の構成により、複数の記憶媒体が進入したとしても、リードライト装置の内部の処理か外部の処理かのどちらの記憶媒体に処理が行われたのかを認識することができ、迅速な処理を促すことができる。
【００７７】
（３）前記記憶媒体のデータの書き換え時に、更新するデータと共に前記記憶媒体を識別するデータをも含んだデータを送信するデータ書き替え手段を備えたことを特徴とする請求項１乃至請求項５のいずれか一項に記載のカード処理装置。
以上の構成により、複数の記憶媒体が進入したとしても、他のIＤの記憶媒体に更新したデータを書き込むことがない。
【００７８】
（４）前記データ書き替え手段は、データの書き換えが正常ではないと判断したき、正常に書き換えが行われるまで複数回に亘りデータを送信するリトライ機能を備えたことを特徴とする請求項１乃至請求項５のいずれか一項に記載のカード処理装置。
以上の構成により、記憶媒体に対して確実にデータの受け渡しが可能である。
【００７９】
（５）前記第２のデータ書き込み許容領域内にカード式記憶媒体を前記印字装置まで搬送する搬送ローラを備え、当該搬送ローラを樹脂製のローラで形成したことを特徴とするリードライト装置。
【００８０】
以上の構成により、金属等による外乱の影響を与えることなく、確実にデータの授受を行うことができ、しかも搬送ローラも第２データ送受信許容領域内に設けることで、１つの装置で大型化することなく、様々な記憶媒体又用途にも対応可能である。
【産業上の利用可能性】
【００８１】
以上説明した本実施形態を応用した例として、バスや鉄道に利用したリードライト装置１０について説明したが、本実施形態のリードライト装置１０は、バスや鉄道だけでなく、一般の小売り店舗での会員サービスやポイントサービス又は有価価値での代金の支払い処理にも利用が可能である。
【図面の簡単な説明】
【００８２】
【図１】実施例１におけるリードライト装置１０を備えたシステム１の一例を示す図。
【図２】実施例１におけるリードライト装置１０の側面から見た内部構造の一例を示す図。
【図３】実施例２におけるリードライト装置１０の側面から見た内部構造の一例を示す図。
【図４】実施例３におけるリードライト装置１０の側面から見た内部構造の一例を示す図。
【図５】実施例４におけるリードライト装置１０の側面から見た内部構造の一例を示す図。
【図６】実施例５におけるリードライト装置１０を備えたシステム１の一例を示す図。
【図７】実施例５におけるリードライト装置１０の制御の一例を示すフローチャー図。
【図８】実施例５におけるリードライト装置１０の定期券更新処理の一例を示すフローチャート図。
【図９】実施例５におけるリードライト装置１０のデータ更新処理の一例を示すフローチャート図。
【図１０】実施例５におけるリードライト装置１０の定期券発券処理の一例を示すフローチャート図。
【符号の説明】
【００８３】
1・・・システム、２・・・携帯電話、３・・・ＳＦカード、４・・・定期券
５・・・端末、６・・・モニタパネル、７・・・操作盤、１０・・・リードライト装置、
１１・・・非接触ＩＣ処理部、１２・・・カード処理表示、１３・・・カード挿入部、  １４・・・アンテナ、１５・・・ＬＥＤ表示部、１６・・・カード誘導部、
１７・・・筐体、１８・・・印字書き替え装置、１９・・・読み取り表示部、
２０・・・定期券発券装置、２４・・・タッチパネル、２５・・・紙幣挿入部、
２６・・・紙幣挿入口、２７・・・定期券発券表示領域、
２８・・・入金チャージ表示領域、２９・・・定期券更新表示領域、
３０・・・確認表示領域、
Ｄ１・・・カード搬送ローラ、Ｄ２・・・データ更新用搬送ローラ、
Ｄ３・・・圧接ローラ、Ｅ・・・消去ヘッド、Ｗ・・・印字ヘッド、
Ｔ・・・搬送ベルト、Ｓａ・・・カード挿入検出センサ、
Ｓｂ・・・カード挿入方向検出センサ、Ｓｃ・・・印字用検出センサ、
Ｐ，Ｐ１，Ｐ２，Ｐ３，Ｐ４・・・データ送受信許容領域、
Ｐａ・・・第１のデータ送受信許容領域、Ｐｂ・・・第２のデータ送受信許容領域。
【図１】
2007193434.tif 000003
【図２】
2007193434.tif 000004
【図３】
2007193434.tif 000005
【図４】
2007193434.tif 000006
【図５】
2007193434.tif 000007
【図６】
2007193434.tif 000008
【図７】
2007193434.tif 000009
【図８】
2007193434.tif 000010
【図９】
2007193434.tif 000011
【図１０】
2007193434.tif 000012